(57)【要約】【課題】エージング時間を効果的に短縮することのできる燃料電池のエージング方法を提供する。【解決手段】カソードに供給する酸化剤ガスに混合される不活性ガスの流量を周期的に変化させることによって、燃料電池の電位を0.4V以下の範囲で周期的に変化させる。【選択図】図３
2019128976.tif 000002
【特許請求の範囲】
【請求項１】
アノードと、カソードと、前記アノードおよび前記カソードに挟持される電解質膜とを含む燃料電池のエージング方法であって、
前記カソードに供給する酸化剤ガスに混合される不活性ガスの流量を周期的に変化させることによって、前記燃料電池の電位を0.4V以下の範囲で周期的に変化させることを特徴とする燃料電池のエージング方法。
【請求項２】
前記不活性ガスの流量を鋸歯状の流量パターンで周期的に変化させることによって、前記燃料電池の電位を波状の電位パターンで周期的に変化させる、請求項１に記載の燃料電池のエージング方法。
【発明の詳細な説明】
【技術分野】
【０００１】
本発明は、燃料電池のエージング方法に関する。
【背景技術】
【０００２】
燃料電池は、燃料ガス（例えば水素）および酸化剤ガス（例えば空気）をアノード側電極（以下、単にアノードということがある）およびカソード側電極（以下、単にカソードということがある）に供給して電気化学的に反応させることにより、電気エネルギー（起電力）を得るシステムである。
【０００３】
例えば、固体高分子型燃料電池のセル（燃料電池セルや単セルということもある）は、イオン伝導性の電解質膜と、該電解質膜を挟持するアノード側触媒層（電極層）およびカソード側触媒層（電極層）とからなる膜電極接合体（ＭＥＡ：Membrane Electrode Assembly）を備えている。ＭＥＡの両側には、燃料ガスもしくは酸化剤ガスを提供するとともに電気化学反応によって生じた電気を集電するためのガス拡散層（ＧＤＬ：Gas Diffusion Layer）が形成されている。ＧＤＬが両側に配置されたＭＥＡは、ＭＥＧＡ（Membrane Electrode & Gas Diffusion Layer Assembly）と称され、ＭＥＧＡは、一対のセパレータにより挟持されている。ここで、ＭＥＧＡが燃料電池の発電部であり、ガス拡散層がない場合には、ＭＥＡが燃料電池の発電部となる。
【０００４】
燃料電池（燃料電池スタックということもある）は、前記した如くの構成を有するセルを複数枚重ね合わせて積層し、例えば、自動車等の車両に搭載して使用されている。
【０００５】
この種の固体高分子型燃料電池では、組み立て直後の電解質膜の含水量が十分でない等の理由により、初期発電性能が低くなっている。そこで、通常、燃料電池の組み立て後に所望の発電性能を引き出すため、燃料電池のエージング運転（単に、エージングともいうこともある）と称される予備運転（ならし運転）が行われている。このエージング運転は、燃料電池の組み立て後に予備的に発電することで、セルの性能が所望の能力を発揮できるようにするものである。また、製造した後だけではなく、例えば、燃料電池を休止した後（特に、長期間休止した後）に再発電させる際（再起動時）や、長期間の発電によって起電力などの出力特性が低下した際などにも、前記したエージング運転を行うことによって、燃料電池の出力特性を回復する場合もある。
【０００６】
このような固体高分子型燃料電池のエージング（ならし運転）においてエージング時間を短縮させるための方法として、燃料電池に強制通電したり、周期的に変動する電気的負荷を印加したり、あるいは、負荷電流を周期的に変動させる方法などが知られている（例えば、下記特許文献１〜３参照）。
【先行技術文献】
【特許文献】
【０００７】
【特許文献１】特開２００６−０４０８６９号公報
【特許文献２】特開２００５−３４００２２号公報
【特許文献３】特開２００７−０６６６６６号公報
【発明の概要】
【発明が解決しようとする課題】
【０００８】
ところで、エージング時間短縮に繋がるエージング促進に必要な要件としては、膜電極接合体の触媒表面の被毒物（コンタミ物質）の除去、触媒表面の酸化被膜の除去、電解質膜や触媒層中の電解質樹脂の湿潤が挙げられる。ここで、一般に、触媒表面の酸化被膜除去や電解質樹脂の湿潤は、被毒物除去よりも短い時間で行われるため、エージング時間短縮（エージング促進）のためには、被毒物を如何に効率的に除去するかが重要である。
【０００９】
しかしながら、例えば上記特許文献３に所載の従来技術では、負荷電流により低電位を実現するために、高電流（高電流密度）を掃引する必要がある。この場合、高電流の掃引によって生成水量は多くなるが、一方で、発熱量が多くなるため、液水量（触媒表面の被毒物を洗い流して排出するための液水量）が減少してしまい、エージング促進に対して必要な湿潤を阻害する恐れがある。すなわち、前記のように負荷電流を制御することは、エージングに対して背反する作用をもたらすことになる。
【００１０】
本発明は、上記課題に鑑みてなされたものであり、その目的とするところは、エージング時間を効果的に短縮することのできる燃料電池のエージング方法を提供することにある。
【課題を解決するための手段】
【００１１】
前記課題を解決すべく、本発明による燃料電池のエージング方法は、アノードと、カソードと、前記アノードおよび前記カソードに挟持される電解質膜とを含む燃料電池のエージング方法であって、前記カソードに供給する酸化剤ガスに混合される不活性ガスの流量を周期的に変化させることによって、前記燃料電池の電位を0.4V以下の範囲で周期的に変化させることを特徴としている。
【００１２】
前記不活性ガスの流量を鋸歯状の流量パターンで周期的に変化させることによって、前記燃料電池の電位を波状の電位パターンで周期的に変化させることが好ましい。
【発明の効果】
【００１３】
本発明によれば、燃料電池の電位を0.4V以下の範囲とすることで、エージング中で最も時間の要する被毒物除去を効率的に行うことができるとともに、不活性ガスの流量調整による燃料電池の電位制御を行うことで、液水量の低減を防止し、エージング促進に対して必要な湿潤を確保できるので、エージング時間を効果的に短縮することができる。
【図面の簡単な説明】
【００１４】
【図１】本発明による燃焼電池のエージング方法の適用対象となる燃料電池（燃料電池スタック）の一例を示す図であり、（Ａ）は要部断面図、（Ｂ）は全体外観図である。
【図２】エージングメカニズムを説明する模式図である。
【図３】エージング時の窒素ガスの流量と燃料電池の電位との関係を示すタイムチャートである。
【図４】（Ａ）は実施例の発電パターン、（Ｂ）は比較例の発電パターンを示すタイムチャートである。
【発明を実施するための形態】
【００１５】
以下、本発明の構成を図面に示す実施形態の一例に基づいて詳細に説明する。以下では、一例として、燃料電池車に搭載される燃料電池またはこれを含む燃料電池システムに本発明を適用した場合を例示して説明するが、適用範囲がこのような例に限られることはない。
【００１６】
［燃料電池（燃料電池スタック）の構成］
図１は、本発明による燃焼電池のエージング方法の適用対象となる燃料電池（燃料電池スタック）の一例を示す図であり、図１（Ａ）は要部断面図、図１（Ｂ）は全体外観図である。
【００１７】
まず、図１（Ａ）を参照して燃料電池（固体高分子型燃料電池）の内部構成を概説すると、燃料電池（燃料電池スタック）１０には、基本単位であるセル（単電池）１が複数積層されている。各セル１は、酸化剤ガス（例えば空気）と、燃料ガス（例えば水素）と、の電気化学反応により起電力を発生する固体高分子型燃料電池である。セル１は、ＭＥＧＡ２と、ＭＥＧＡ２を区画するように、ＭＥＧＡ２に接触するセパレータ（燃料電池用セパレータ）３とを備えている。なお、本実施形態では、ＭＥＧＡ２は、一対のセパレータ３、３により、挟持されている。
【００１８】
ＭＥＧＡ２は、膜電極接合体（ＭＥＡ）４と、この両面に配置されたガス拡散層７、７とが、一体化されたものである。膜電極接合体４は、電解質膜５と、電解質膜５を挟むように接合された一対の電極６、６と、からなる。電解質膜５は、固体高分子材料で形成されたプロトン伝導性のイオン交換膜からなり、電極６は、たとえば、白金などの触媒を担持した例えば多孔質のカーボン素材により形成される。電解質膜５の一方側に配置された電極６がアノードとなり、他方側の電極６がカソードとなる。ガス拡散層７は、例えばカーボンペーパ若しくはカーボンクロス等のカーボン多孔質体、または、金属メッシュ若しくは発泡金属等の金属多孔質体などのガス透過性を有する導電性部材によって形成される。
【００１９】
本実施形態では、ＭＥＧＡ２が、燃料電池１０の発電部であり、セパレータ３は、ＭＥＧＡ２のガス拡散層７に接触している。また、ガス拡散層７が省略されている場合には、膜電極接合体４が発電部であり、この場合には、セパレータ３は、膜電極接合体４に接触している。したがって、燃料電池１０の発電部は、膜電極接合体４を含むものであり、セパレータ３に接触する。
【００２０】
セパレータ３は、導電性やガス不透過性などに優れた金属を基材とする板状の部材であって、その一面側がＭＥＧＡ２のガス拡散層７と当接し、他面側が隣接する他のセパレータ３の他面側と当接している。
【００２１】
本実施形態では、各セパレータ３は、波形状ないし凹凸状に形成されている。セパレータ３の形状は、波の形状が等脚台形をなし、かつ波の頂部が平坦で、この頂部の両端が等しい角度をなして角張っている。つまり、各セパレータ３は、表側から見ても裏側から見ても、ほぼ同じ形状である。ＭＥＧＡ２の一方のガス拡散層７には、セパレータ３の頂部が面接触し、ＭＥＧＡ２の他方のガス拡散層７には、セパレータ３の頂部が面接触している。
【００２２】
一方の電極（すなわちアノード）６側のガス拡散層７とセパレータ３との間に画成されるガス流路２１は、燃料ガスが流通する流路であり、他方の電極（すなわちカソード）６側のガス拡散層７とセパレータ３との間に画成されるガス流路２２は、酸化剤ガスが流通する流路である。セル１を介して対向する一方のガス流路２１に燃料ガスが供給され、ガス流路２２に酸化剤ガスが供給されると、セル１内で電気化学反応が生じて起電力が生じる。
【００２３】
さらに、あるセル１と、それに隣接するもうひとつのセル１とは、アノードとなる電極６とカソードとなる電極６とを向き合わせて配置されている。また、あるセル１のアノードとなる電極６に沿って配置されたセパレータ３の背面側の頂部と、もうひとつのセル１のカソードとなる電極６に沿って配置されたセパレータ３の背面側の頂部とが、面接触している。隣接する２つのセル１間で面接触するセパレータ３、３の間に画成される空間２３には、セル１を冷却する冷媒としての水が流通する。
【００２４】
また、隣接する２つのセル１の端部間には、燃料ガス（例えば水素）または酸化剤ガス（例えば空気）や冷却用の水をシールするシール部材としてのガスケット（図示省略）が挟圧保持されている。
【００２５】
また、前記した燃料電池１０は、図１（Ｂ）に示すように、各１セル間の電圧（セル電圧）を監視するためのセルモニタ用ケーブル（図示省略）、電極（アノード）６側のガス流路２１に燃料ガスを供給・排出するためのガス配管１１、電極（カソード）６側のガス流路２２に酸化剤ガスを供給・排出するためのガス配管１２、空間２３に冷媒としての水（冷却水）を供給・排出するための冷却水配管１３等が接続されて構成されている。
【００２６】
［燃料電池（燃料電池スタック）のエージング方法］
前記した如くの構成を有する燃料電池１０では、発電性能（出力特性）を安定させるために、例えば当該燃料電池１０の組み立て後などにエージング（ならし運転）が行われる。
【００２７】
ここで、前記したエージングでは、主に、図２に示す過程１〜３を経て膜電極接合体４の触媒表面が洗浄（被毒物（コンタミ物質）除去）される。
＜過程１＞：触媒表面に被毒物が付着した状態。
＜過程２＞：触媒表面に付着している被毒物を触媒表面から浮かせる（離す）。
＜過程３＞：触媒表面から浮かせた被毒物を燃料電池の電気化学的反応で生成した液水などで洗い流し、セル内部から排出させる。
【００２８】
触媒表面に付着している被毒物は、電極工程やセル化工程などで使用した低分子量から高分子量までを有する様々な種類の有機物であり、これらの有機物を効率よく除去する必要がある。つまり、液水で洗い流す過程３より前の過程２を効率よく行うことが必要不可欠である。
【００２９】
そこで、本実施形態では、前記エージングを促進・加速する0V〜0.4Vの間で燃料電池の電位を変動させることで、様々な種類の被毒物を短時間で除去する。具体的には、例えばガス配管１２に配設された流量調整弁などを用いて、ガス配管１２から電極（カソード）６に供給する酸化剤ガスに混合される不活性ガス（例えば、窒素N2ガス）の流量を周期的に変化させることによって、燃料電池１０の電位を0.4V以下の範囲で周期的に変化させて、前記エージングを実施する。
【００３０】
より詳しくは、図３に示すように、電極（カソード）６に供給する酸化剤ガスに混合される不活性ガス（例えば、窒素N2ガス）の流量を鋸歯状の流量パターンで周期的に変化させることによって、燃料電池１０の電位（セル平均電圧）を0.1V〜0.4Vの範囲内の波状（サイン波状）の電位パターンで周期的に変化させて、前記エージングを実施する。
【００３１】
以下、前記した本実施形態のエージング（における電位制御）の作用効果について説明する。
【００３２】
＜燃料電池のエージング時間短縮のための発電を行う作用効果＞
例えば、非発電で温水等を流して洗浄する手法では、触媒表面に付着している被毒物を除去する効果が小さく、十分なエージング効果を得ることはできない。
【００３３】
発電での電位付与や電極内環境によって、触媒種特有の表面電位（表面エネルギー）を有し、表面エネルギーと被毒物の相互作用によって、被毒物を乖離したり、結合させたりすることができるため、触媒表面の被毒物を効果的に除去できるようになる。
【００３４】
＜燃料電池を構成する各セルの電位を0〜0.4Vの間で（0.4V→0V→0.4Vのサイクルとなるように）サイクリックに変動させる作用効果＞
触媒表面に付着している被毒物はアニオン系が多く、電位を0V〜0.4Vにすることで、触媒表面から効果的に被毒物を乖離させることができる。
【００３５】
さらに、被毒物種（被毒物の種類）は複数種あることが多く、被毒物種によって効果的に触媒表面から乖離させられる電位は異なるため、電位を0.4V→0V→0.4Vでサイクル変動させることによって、あらゆる被毒物種を効率よく除去することができる。
【００３６】
また、電位をサイクル変動させることによって、被毒物が触媒表面から乖離しやすくなる作用が増大する。なお、この場合、一定電位と組み合わせても良い。
【００３７】
＜燃料電池の電位の変動制御を、カソードへの不活性ガス（例えば、窒素N2ガス）の混合流量を変化させることによって行う作用効果＞
各セル内の発電環境（温度や生成水量）によってエージング効果に違いが生じるが、不活性ガスを混合することは、各セル内の発電環境にほとんど変化をもたらすことなく、エージングを促進させることができる。
【００３８】
以上で説明したように、本実施形態では、燃料電池１０の電位を0.4V以下の範囲とすることで、エージング中で最も時間の要する被毒物除去を効率的に行うことができるとともに、不活性ガスの流量調整による燃料電池１０の電位制御を行うことで、液水量の低減を防止し、エージング促進に対して必要な湿潤を確保できるので、エージング時間を効果的に短縮することができる。
【００３９】
［燃料電池（燃料電池スタック）の発電性能およびエージング時間を評価した実験とその結果］
本発明者等は、図１に基づき説明した如くの燃料電池（燃料電池スタック）を作製し、燃料ガス用のガス配管および酸化剤ガス用のガス配管を介して、燃料ガスとしての水素および酸化剤ガスとしての空気をアノード側電極およびカソード側電極に供給してエージング発電を実施し（実施例、比較例）、そのときの発電性能（出力特性）およびエージング時間を評価した。
【００４０】
＜実施例および比較例のエージング方法＞
エージング発電中の実施例および比較例のそれぞれの発電パターンは、図４（Ａ）、（Ｂ）に示すように、0→600Aまでの階段状パターン（詳しくは、電流が0→150A→300A→450A→600Aとステップ状に漸次増加するパターン）で同じであるが、実施例では、600Aに到達後、一定時間後に酸化剤ガスとしての空気に窒素ガスを混合し始めた。実施例の窒素ガス量は、電圧がほぼ0Vに達するときの量を上限として、ゼロ（このときの電位は約0.4Vに相当）から上限の間を複数回変動させた。
【００４１】
一方、比較例では、窒素ガスを混合しなかった。
【００４２】
なお、実施例および比較例において、酸化剤ガスとしての空気の流量は、それぞれの電流値に対してストイキ1.2で実施した。
【００４３】
また、ここでは、実施例および比較例のエージング時間は同じ（エージング時間T）とした。
【００４４】
＜エージング後の出力の評価結果＞
前記したエージング後の実施例および比較例の出力を測定した結果、以下の表１で示すように、実施例および比較例の出力はそれぞれ、エージングを十分に実施した後の燃料電池の出力（つまり、目標となる出力）に対して、96%および93%であった。
〈表１〉
2019128976.tif 000003
【００４５】
この実験結果より、実施例では、比較例よりも短いエージング時間で同等の発電性能を得ることができる、言い換えれば、エージング時間を短縮できることが実証された。
【００４６】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００４７】
１…セル（燃料電池セル）、２…ＭＥＧＡ、３…セパレータ、４…膜電極接合体（ＭＥＡ）、５…電解質膜、６…電極（アノード、カソード）、７…ガス拡散層、１０…燃料電池（燃料電池スタック）、１１，１２…ガス配管、１３…冷却水配管、２１，２２…ガス流路、２３…水が流通する空間
【図１】
2019128976.tif 000004
【図２】
2019128976.tif 000005
【図３】
2019128976.tif 000006
【図４】
2019128976.tif 000007